(57)【特許請求の範囲】
【請求項１】
制御端子への信号入力によりオンする第１スイッチ素子と、
前記第１スイッチ素子のオンにより通電経路が閉路されて通電励磁されるリレーコイルと、前記リレーコイルの励磁によりオンする第１リレー接点と、外部ラインに設けられ前記リレーコイルの励磁によりオンオフ状態が切り換わる第２リレー接点とを有するリレーと、
前記第１スイッチ素子に並列に設けられ制御端子への信号入力によりオンして前記リレーコイルの前記通電経路を閉路する第２スイッチ素子と、
前記第１リレー接点のオン状態が予め設定された設定時間以上継続すると前記第２スイッチ素子をオンするラッチ制御信号を前記第２スイッチ素子の制御端子に出力するラッチ制御回路とを備え、
前記ラッチ制御信号が前記ラッチ制御回路から前記第２スイッチ素子の制御端子に出力されると、前記第２スイッチ素子がオンすることにより前記通電経路が閉路されて前記リレーコイルが励磁状態にラッチされる
ことを特徴とするリレー装置。
【請求項２】
前記ラッチ制御回路は、前記第１リレー接点を介して電源に接続される所定時定数の充電回路を有し、前記第１リレー接点のオン状態により前記電源に接続された前記充電回路が前記設定時間以上充電されて所定電圧以上になると前記ラッチ制御信号を出力することを特徴とする請求項１に記載のリレー装置。
【請求項３】
前記第２リレー接点は前記リレーコイルの励磁によりオフして前記外部ラインを遮断するものであり、前記外部ラインにその出力部が接続される対象機器の異常を検知して前記第１スイッチ素子をオンする異常検知信号を前記第１スイッチ素子の制御端子に出力する異常検知回路をさらに備え、
前記異常検知信号が前記異常検知回路から前記第１スイッチ素子の制御端子に出力されると、前記第１スイッチ素子がオンすることにより前記外部ラインが前記第２リレー接点により遮断されて、前記対象機器の異常による該対象機器の前記出力部に前記外部ラインを介して接続された後段機器の誤動作を防止することを特徴とする請求項１または２に記載のリレー装置。
【請求項４】
請求項３に記載のリレー装置を備える遊技機において、
前記リレー装置が配置されるフレームを備えることを特徴とする遊技機。
【請求項５】
前記後段機器としてのスピーカと、サウンド信号を前記スピーカに出力する前記対象機器としての信号処理部とを有するオーディオ手段をさらに備え、
前記信号処理部の前記出力部と前記スピーカとを接続する前記外部ラインとしての出力ラインに前記第２リレー接点が設けられ、
前記異常検知回路は、前記出力ラインに設けられて前記信号処理部の前記出力部から出力される前記サウンド信号の異常を検知する
ことを特徴とする請求項４に記載の遊技機。
【発明の詳細な説明】
【技術分野】
【０００１】
本発明は、リレーコイルが励磁されるとリレー接点が反転状態に保持されるリレー装置およびこれを備える遊技機に関する。
【背景技術】
【０００２】
従来、セットコイルに電流が流れて電磁石が磁化されるとリレー接点が反転状態に保持されるラッチングリレーが提供されている。例えば、特許文献１に開示されているラッチングリレーは、出力用リレー接点と、出力用リレー接点の可動接点に機構的に連動する可動接点を有するモニタ用リレー接点とを備えている。そして、ラッチングリレーのセットコイルにドライバ回路から信号が入力されると、出力用リレー接点が反転すると共に、モニタ用リレー接点が出力用リレー接点の反転に連動して反転する。また、一旦、電磁石が磁化されて出力用リレー接点が反転すると、セットコイルへのドライバ回路からの信号入力が中断されても、リセットコイルにドライバ回路から信号が入力されるまで、出力用リレー接点およびモニタ用リレー接点が反転状態に保持される。
【０００３】
ところで、上記したラッチングリレーがスロットマシンやパチンコ機等の遊技機に搭載された場合に、次のような問題が生じるおそれがある。すなわち、例えば遊技者により遊技機が叩かれたりすることにより、大きな振動や衝撃がラッチングリレーに加わると、出力用リレー接点およびモニタ用リレー接点が反転し、そのままの状態が保持されるという誤動作が生じるおそれがある。したがって、特許文献１では、マイクロプロセッサユニット（ＭＰＵ）によりモニタ用リレー接点の状態を監視することにより、上記した誤動作がラッチングリレーに生じたことを検出する技術が提案されている。
【０００４】
具体的には、ＭＰＵにより制御されたドライバ回路からラッチングリレーのセットコイルまたはリセットコイルに信号が出力されると共に、モニタ用リレー接点の状態がＭＰＵにより監視される。また、ＭＰＵによるドライバ回路の制御状態と、実際に監視されているモニタ用リレー接点の状態とがＭＰＵにおいて比較されて、両状態が対応していないときにラッチングリレーが誤動作していることがＭＰＵにおいて検出される。そして、ラッチングリレーが誤動作していることがＭＰＵにおいて検出されれば、直ちに、ラッチングリレーを正常な状態に復帰させるようにドライバ回路がＭＰＵにより制御される。したがって、ラッチングリレーが誤動作したときには、ＭＰＵにおいて直ちに誤動作が検出されて、ドライバ回路がＭＰＵにより制御されることによりラッチングリレーが正常な状態に復帰する。
【先行技術文献】
【特許文献】
【０００５】
【特許文献１】特開平８−２５０００１号公報（段落００４７〜００５４、図９、要約書など）
【発明の概要】
【発明が解決しようとする課題】
【０００６】
ところで、上記したラッチングリレーでは、一旦、セットコイルに電流が流れて電磁石が磁化されると、セットコイルへのドライバ回路からの信号入力が中断されても、電磁石の残留磁束により、出力用リレー接点が反転状態に保持される。その一方で、リレー接点を反転状態に保持するために、リレーコイルを励磁状態にラッチすることも考えられる。この場合、上記した従来のラッチングリレーと同様に、リレーコイルを励磁状態にラッチする機能を有するリレー装置が、大きな振動や衝撃により誤動作することを防止する技術が要求される。
【０００７】
本発明は、上記課題に鑑みてなされたものであり、リレーコイルを励磁状態にラッチする機能を有するリレー装置の誤動作を防止できる技術を提供すると共に、誤動作が防止されたリレー装置を備える遊技機を提供することを目的とする。
【課題を解決するための手段】
【０００８】
上記目的を達成するために、本発明にかかるリレー装置は、制御端子への信号入力によりオンする第１スイッチ素子と、前記第１スイッチ素子のオンにより通電経路が閉路されて通電励磁されるリレーコイルと、前記リレーコイルの励磁によりオンする第１リレー接点と、外部ラインに設けられ前記リレーコイルの励磁によりオンオフ状態が切り換わる第２リレー接点とを有するリレーと、前記第１スイッチ素子に並列に設けられ制御端子への信号入力によりオンして前記リレーコイルの前記通電経路を閉路する第２スイッチ素子と、前記第１リレー接点のオン状態が予め設定された設定時間以上継続すると前記第２スイッチ素子をオンするラッチ制御信号を前記第２スイッチ素子の制御端子に出力するラッチ制御回路とを備え、前記ラッチ制御信号が前記ラッチ制御回路から前記第２スイッチ素子の制御端子に出力されると、前記第２スイッチ素子がオンすることにより前記通電経路が閉路されて前記リレーコイルが励磁状態にラッチされることを特徴としている（請求項１）。
【０００９】
また、前記ラッチ制御回路は、前記第１リレー接点を介して電源に接続される所定時定数の充電回路を有し、前記第１リレー接点のオン状態により前記電源に接続された前記充電回路が前記設定時間以上充電されて所定電圧以上になると前記ラッチ制御信号を出力してもよい（請求項２）。
【００１０】
また、前記第２リレー接点は前記リレーコイルの励磁によりオフして前記外部ラインを遮断するものであり、前記外部ラインにその出力部が接続される対象機器の異常を検知して前記第１スイッチ素子をオンする異常検知信号を前記第１スイッチ素子の制御端子に出力する異常検知回路をさらに備え、前記異常検知信号が前記異常検知回路から前記第１スイッチ素子の制御端子に出力されると、前記第１スイッチ素子がオンすることにより前記外部ラインが前記第２リレー接点により遮断されて、前記対象機器の異常による該対象機器の前記出力部に前記外部ラインを介して接続された後段機器の誤動作を防止してもよい（請求項３）。
【００１１】
このとき、前記リレー装置が配置されるフレームを備えていてもよい（請求項４）。
【００１２】
また、前記後段機器としてのスピーカと、サウンド信号を前記スピーカに出力する前記対象機器としての信号処理部とを有するオーディオ手段をさらに備え、前記信号処理部の前記出力部と前記スピーカとを接続する前記外部ラインとしての出力ラインに前記第２リレー接点が設けられ、前記異常検知回路は、前記出力ラインに設けられて前記信号処理部の前記出力部から出力される前記サウンド信号の異常を検知してもよい（請求項５）。
【発明の効果】
【００１３】
請求項１の発明によれば、制御端子への信号入力により第１スイッチ素子がオンすると、通電経路が閉路されてリレーコイルが通電励磁される。したがって、リレーが備える第１リレー接点がオンして反転し、外部ラインに設けられた第２リレー接点のオンオフ状態が切り換わって反転する。また、制御端子への信号入力によりオンしてリレーコイルの通電経路を閉路する第２スイッチ素子が第１スイッチ素子に並列に設けられており、第１スイッチ素子がオンすることによる第１リレー接点のオン状態（反転状態）が予め設定された設定時間以上継続すると、第２スイッチ素子をオンするラッチ制御信号がラッチ制御回路から第２スイッチ素子の制御端子に出力される。
【００１４】
そして、ラッチ制御信号がラッチ制御回路から第２スイッチ素子の制御端子に出力されると、第２スイッチ素子がオンすることにより、リレーコイルの通電経路が閉路される。したがって、一旦、第２スイッチ素子がオンすると、第１スイッチ素子がオフしても通電経路は第２スイッチ素子により閉路されており、リレーコイルの励磁状態が維持されるので、第１および第２リレー接点が反転状態に保持される。また、第１リレー接点の反転状態が保持されるので、ラッチ制御回路からラッチ制御信号が第２スイッチ素子の制御端子に継続して出力される。したがって、第２スイッチ素子のオン状態が維持されるので、通電経路が継続的に閉路されてリレーコイルが励磁状態にラッチされ、第１および第２リレー接点が反転状態に保持される。
【００１５】
また、大きな振動や衝撃が加わった場合に、可動接点が振動することにより第１リレー接点が瞬間的にオン状態になっても、第１リレー接点のオン状態が予め設定された設定時間以上継続されなければ、ラッチ制御信号がラッチ制御回路から第２スイッチ素子の制御端子に出力されることがない。そのため、リレーコイルが励磁されていないのに第１リレー接点がオンした場合に、第２スイッチ素子が誤ってオンするのを防止することができる。したがって、リレーコイルを励磁状態にラッチする機能を有するリレー装置の誤動作を防止することができる。
【００１６】
請求項２の発明によれば、第１リレー接点を介して電源に接続される所定時定数の充電回路がラッチ制御回路に設けられている。そして、第１リレー接点のオン状態が設定時間以上継続することにより、電源に接続された充電回路が設定時間以上充電されて所定電圧以上になると、ラッチ制御信号がラッチ制御回路から出力される。したがって、ＭＰＵ等の論理回路を用いない簡単な構成でありながら、第１リレー接点のオン状態が設定時間以上継続したときにラッチ制御信号が出力されることによりリレー装置が誤動作するのを防止することができる。
【００１７】
請求項３の発明によれば、外部ラインにその出力部が接続される対象機器の異常が異常検知回路により検知されると、第１スイッチ素子をオンする異常検知信号が異常検知回路から第１スイッチ素子の制御端子に出力される。また、異常検知信号が異常検知回路から第１スイッチ素子の制御端子に出力されると、第１スイッチ素子がオンしてリレーコイルが励磁することにより、外部ラインに設けられた第２リレー接点がオフして外部ラインが遮断される。したがって、対象機器の異常が異常検知回路により検知された場合には、遅滞なく第１スイッチ素子がオンして第２リレー接点がオフすることにより外部ラインが遮断されるので、対象機器の異常による該対象機器の出力部に外部ラインを介して接続された後段機器の誤動作を防止することができる。
【００１８】
請求項４の発明によれば、誤動作が防止されたリレー装置が配置されるフレームを備える遊技機を提供することができる。
【００１９】
請求項５の発明によれば、後段機器としてのスピーカと、サウンド信号をスピーカに出力する対象機器としての信号処理部とを有するオーディオ手段が設けられており、信号処理部の出力部とスピーカとが外部ラインとしての出力ラインにより接続されている。また、出力ラインにリレー装置の第２リレー接点が設けられ、信号処理部の出力部から出力されるサウンド信号の異常が出力ラインに設けられた異常検知回路により検知される。したがって、信号処理部の出力部から出力ラインに出力されたサウンド信号の異常が異常検知回路により検知された場合には、遅滞なく第１スイッチ素子がオンしてリレーコイルが励磁し、第２リレー接点がオフすることにより出力ラインが遮断されるので、信号処理部の異常による該信号処理部の出力部に出力ラインを介して接続されたスピーカの破損や破壊等を含む誤動作を防止することができる。
【図面の簡単な説明】
【００２０】
【図１】本発明にかかる遊技機の一実施形態たるスロットマシンの正面図である。
【図２】図１のスロットマシンの前扉が開いた状態における斜視図である。
【図３】スロットマシンの電気的構成を示すブロック図である。
【図４】サブ制御基板およびスピーカの構成を示すブロック図である。
【図５】スピーカ保護回路の構成を示す回路ブロック図である。
【図６】スピーカ保護回路の動作の一例を示すタイミングチャートである。
【図７】スピーカ保護回路の動作の他の例を示すタイミングチャートである。
【発明を実施するための形態】
【００２１】
本発明にかかるリレー装置を備える遊技機の一実施形態たるスロットマシンについて、図１〜図７を参照して説明する。
【００２２】
（スロットマシンの概要）
スロットマシン１の構成の概略について図１〜図４を参照して説明する。図１は、本発明にかかる遊技機の一実施形態たるスロットマシンの正面図、図２は図１のスロットマシンの前扉が開いた状態における斜視図である。また、図３はスロットマシンの電気的構成を示すブロック図、図４はサブ制御基板およびスピーカの構成を示すブロック図である。
【００２３】
この実施形態におけるスロットマシン１（本発明の「遊技機」に相当）は、メダルなどの遊技媒体が規定数投入されることを条件とする遊技者のスタートスイッチ９およびストップスイッチ１０Ｌ，１０Ｍ，１０Ｒの操作に基づいて１回の遊技が実行されるものであって、例えば、図１および図２に示すように構成されている。すなわち、このスロットマシン１では、前面が開放された箱型の筐体２ａの前面が前面パネル２ｂ（本発明の「フレーム」に相当）により開閉自在に閉塞され、この前面パネル２ｂのほぼ中央高さの位置に操作板３が配設されると共に、この操作板３の上方に正面板４が配設されている。
【００２４】
そして、この正面板４には横長矩形の表示窓５が設けられている。また、表示窓５の内側には、複数種類の図柄を予め定められた順序で可変表示する左・中・右リール６Ｌ，６Ｍ，６Ｒが配置されている。
【００２５】
左・中・右リール６Ｌ，６Ｍ，６Ｒそれぞれの周面には、所定の個数の図柄が所定の配列で設けられている。また、左・中・右リール６Ｌ，６Ｍ，６Ｒそれぞれの周面に設けられた複数の図柄には、種類が異なる複数種類の図柄が含まれている。なお、各リール６Ｌ，６Ｍ，６Ｒは、複数種類の図柄が印刷されたリールテープがリールの周面に貼り付けられて形成されている。また、各リール６Ｌ，６Ｍ，６Ｒが回転すると、各リール６Ｌ，６Ｍ，６Ｒそれぞれの周面に設けられた複数種類の図柄が所定の順序でそれぞれ表示窓５に変動表示される。また、各リール６Ｌ，６Ｍ，６Ｒの回転が停止すると、各リール６Ｌ，６Ｍ，６Ｒのそれぞれについて、表示窓５の上段、中段および下段のそれぞれに１個ずつの合計３個の図柄が表示窓５に表示されるように設定されている。すなわち、全てのリール６Ｌ，６Ｍ，６Ｒが停止すると、縦３列横３行に配列された合計９個の図柄が表示窓５に停止表示される。
【００２６】
また、各リール６Ｌ，６Ｍ，６Ｒをそれぞれ独立して回転駆動できるように、各リール６Ｌ，６Ｍ，６Ｒには、それぞれステッピングモータにより構成されるリール用のモータが連結されている。
【００２７】
さらに、操作板３には、遊技者所有のものとして内部に貯留されているクレジットメダルから１枚ずつのメダル投入を指示するためのベットスイッチ７、クレジットメダルから１ゲーム（遊技）あたりの最大投入枚数（３枚に設定されている）のメダル投入を指示するための最大ベットスイッチ８、各リール６Ｌ，６Ｍ，６Ｒを回転させて各図柄の可変表示を開始させるレバー状のスタートスイッチ９、左・中・右リール６Ｌ，６Ｍ，６Ｒの回転をそれぞれ停止させて各図柄の可変表示を停止させる左・中・右ストップスイッチ１０Ｌ，１０Ｍ，１０Ｒ、およびメダル投入口１２が設けられている。なお、この実施形態では、１ゲーム（１回の遊技）に必要なメダル投入数（規定数）は、３枚の１種類が設定されている。また、各リール６Ｌ，６Ｍ，６Ｒそれぞれにより複数種類の図柄を可変表示する可変表示列が形成されており、各ストップスイッチ１０Ｌ，１０Ｍ，１０Ｒは、各リール６Ｌ，６Ｍ，６Ｒのそれぞれに対応して設けられている。
【００２８】
また、正面板４の上方のほぼ中央には、動画などを表示して遊技者に当選や入賞などを告知したり、各ストップスイッチ１０Ｌ，１０Ｍ，１０Ｒの操作態様を報知する演出を行うための液晶表示器１３が設けられている。液晶表示器１３は液晶ディスプレイ（ＬＣＤ）の駆動回路が設けられた液晶制御基板１３ａを備え、液晶制御基板１３ａにより駆動されることによって液晶表示器１３に種々の映像が表示される。また、液晶表示器１３の左右には、音楽や音声などによる演出を行うための上部左スピーカ１５ＵＬ（後段機器）および上部右スピーカ１５ＵＲ（後段機器）がそれぞれ設けられている。
【００２９】
また、操作板３の下方には、装飾画などが表示された下部パネル１８が設けられ、この下部パネル１８の下方には、メダルの払出口２０や、この払出口２０から払い出されるメダルを受ける受け皿２１が設けられている。また、下部パネル１８の左右には、音楽や音声などによる演出を行うための下部左スピーカ１５ＤＬ（後段機器）および下部右スピーカ１５ＤＲ（後段機器）がそれぞれ設けられている。
【００３０】
また、各リール６Ｌ，６Ｍ，６Ｒを支持する支持枠体２ｃが筐体２ａ内の後壁に固定されて設けられており、各リール６Ｌ，６Ｍ，６Ｒは支持枠体２ｃに支持されて筐体２ａ内に配設されている。また、筐体２ａ内の支持枠体２ｃの下方には、メダルを払出口２０に排出するためのホッパーユニット４０が配設されている。また、メダル投入口１２付近の裏面側には、メダル投入口１２に投入されたメダルが正規のものか否かを選別して正規のメダルのみをホッパーユニット４０に導くメダルセレクタ３０が配設されている。
【００３１】
また、前面パネル２ｂの裏面にはメダル通路２ｄが設けられている。メダルセレクタ３０において非正規のメダルとして排除されたメダルや、ホッパーユニット４０から払い出されたメダルが、メダル通路２ｄを通って払出口２０に排出される。なお、図３において、投入センサ３１は、筐体２ａ内部のメダル投入口１２の近傍に配置されているメダルセレクタ３０に設けられ、メダル投入口１２に投入されたメダルを１枚ずつ検出するものである。また、払出センサ３２は、ホッパーユニット４０の出口に設けられ、払出口２０に払い出されるメダルを１枚ずつ検出するものである。
【００３２】
また、ホッパーユニット４０の左側には、操作ボックス４１が配置されて筐体２ａの左側壁に固定されている。この操作ボックス４１には、電源のオンオフを切り換える電源スイッチが設けられるとともに、役抽選における当選役への当選確率の高低を設定する設定変更処理のためのキーシリンダおよび押しボタン式の設定変更ボタンが設けられている。
【００３３】
また、前面パネル２ｂの上側の周縁部分に上部ランプ部２２が設けられ、前面パネル２ｂの下部パネル１８の左右に下部ランプ部２３が設けられている。各ランプ部２２，２３それぞれは、発光ダイオードや有機ＥＬ等の発光素子、一般的な電球などの発光手段を備え、遊技者に当選や入賞を告知するなどの演出を行う。
【００３４】
また、このスロットマシン１では、少なくとも遊技の進行に関する制御を行うメインＣＰＵ５１が実装されたメイン制御基板５２と、メイン制御基板５２から送信された情報に基づき遊技の進行に合わせた演出の制御を行うサブＣＰＵ６１が実装されたサブ制御基板６２とが別々に設けられており、メイン制御基板５２からサブ制御基板６２に対して各種のデータがコマンド形式で一方通行で送信される。
【００３５】
メイン制御基板５２のＲＡＭ５３はスロットマシン１の遊技に関するデータを一時的に記憶するものであり、各種のデータを格納するための各種の記憶領域がＲＡＭ５３に形成される。また、メイン制御基板５２のＲＯＭ５４は各種のデータを予め記憶するものであり、抽選テーブルなどの予め設定されたデータを含む遊技機用プログラム（スロットマシン１用のプログラム）が格納されている。
【００３６】
また、メイン制御基板５２のメインＣＰＵ５１は、タイマ割込などの割込機能を有し、ＲＯＭ５４に格納された遊技機用プログラムを実行することにより、遊技の進行に関する処理を行う。また、メインＣＰＵ５１は、抽選手段（図示省略）による抽選処理における抽選結果に関するデータ、各ストップスイッチ１０Ｌ，１０Ｍ，１０Ｒ、スタートスイッチ９等の遊技者により操作される操作器具の操作に関するデータ、などのメイン制御基板５２における遊技の進行状況やスイッチ、センサの作動状況に関する情報を示す種々のデータをコマンド形式でサブ制御基板６２のサブＣＰＵ６１に送信する。
【００３７】
また、サブ制御基板６２のＲＡＭ６３は、各種データを一時的に記憶するものであり、各種のデータを格納するための各種の記憶領域がＲＡＭ６３に形成される。また、サブ制御基板６２のＲＯＭ６４には、音楽や音声などによる演出を行うためのサウンドデータ（ＳＤ：Sound Data）を含む予め設定された演出用の各種データや各種プログラムなどが格納されている。また、サブ制御基板６２のサブＣＰＵ６１は、タイマ割込などの割込機能を有し、メインＣＰＵ５１から送信されるスロットマシン１に関する各種のデータ（抽選手段による抽選処理における抽選結果、各ストップスイッチ１０Ｌ，１０Ｍ，１０Ｒ、スタートスイッチ９等の操作器具が操作されたか、などに関するデータ）に基づいてＲＯＭ６４に格納されたプログラムを実行することで、遊技者に対して実行される遊技に関連する演出の内容を決定する。
【００３８】
また、サブ制御基板６２には音処理回路６５（本発明の「信号処理部」「対象機器」に相当）が設けられている。音処理回路６５は、音源ＩＣ６５１およびアンプ６５２を備え、サブＣＰＵ６１により決定された音楽や音声などによる演出の内容に基づいてアナログのサウンド信号（ＳＳ：Sound Signal）を生成するものである。そして、音処理回路６５により生成されたサウンド信号がアンプ６５２により増幅されて各スピーカ１５ＵＬ，１５ＵＲ，１５ＤＬ，１５ＤＲに対して出力される。
【００３９】
音源ＩＣ６５１は、サブＣＰＵ６１から出力された音楽や音声などによる演出の内容を指定する制御信号に基づいてＲＯＭ６４からサウンドデータを取得し、取得したサウンドデータから各スピーカ１５ＵＬ，１５ＵＲ，１５ＤＬ，１５ＤＲごとにサウンド信号を生成して出力する。アンプ６５２（本発明の「出力部」に相当）は、音源ＩＣ６５１から出力された各スピーカ１５ＵＬ，１５ＵＲ，１５ＤＬ，１５ＤＲごとのサウンド信号を増幅して出力する。以上のように、この実施形態では、音処理回路６５および各スピーカ１５ＵＬ，１５ＵＲ，１５ＤＬ，１５ＤＲが本発明の「オーディオ手段」として機能している。
【００４０】
また、サブ制御基板６２が有するＩ／Ｏポートと接続された接続基板７２が設けられており、接続基板７２に液晶表示器１３や各スピーカ１５ＵＬ，１５ＵＲ，１５ＤＬ，１５ＤＲ、各ランプ部２２，２３などの各種の演出機器が接続されることにより、サブ制御基板６２と各種の演出機器とが接続されている。
【００４１】
また、図４に示すように、接続基板７２には、各スピーカ１５ＵＬ，１５ＵＲ，１５ＤＬ，１５ＤＲごとにスピーカ保護回路１００が設けられている。そして、音処理回路６５のアンプ６５２の各スピーカ１５ＵＬ，１５ＵＲ，１５ＤＬ，１５ＤＲ用の各出力端子（（＋）端子、（−）端子）のそれぞれに接続された各出力ラインＳＬ（外部ライン）が、接続基板７２に設けられた各スピーカ保護回路１００を介して各スピーカ１５ＵＬ，１５ＵＲ，１５ＤＬ，１５ＤＲにそれぞれ接続されている。
【００４２】
また、筐体２ａの後壁にメイン制御基板用基板ケース２４が配設され、その内部にメイン制御基板５２が封入され、筐体２ａの左側壁にサブ制御基板用基板ケース２５が配設され、その内部にサブ制御基板６２が配置されている。また、前面パネル２ｂの裏面に液晶制御基板用基板ケース２６が配設され、その内部に液晶制御基板１３ａが配置され、液晶制御基板用基板ケース２６の表面に接続基板用基板ケース２７が配設され、その内部に接続基板７２が配置されている。
【００４３】
また、各基板ケース２４〜２７には、メイン制御基板５２、サブ制御基板６２、液晶制御基板１３ａおよび接続基板７２それぞれの外部接続用の接続コネクタをケース外に露出するための開口が形成されている。そして、ケース外に露出する各基板５２，６２，１３ａ，７２の外部接続用の接続コネクタが、ケーブルハーネスＣＡにより接続されている。このように、接続基板７２が接続基板用基板ケース２７内に配置されることにより、接続基板７２に搭載されたスピーカ保護回路１００が前面パネル２ｂの裏面に配設されている。
【００４４】
以上のように構成されたスロットマシン１では、例えば次のような遊技が実行される。
【００４５】
まず、投入センサ３１によりメダル投入口１２からのメダル投入が検出されるか、あるいはベットスイッチ７または最大ベットスイッチ８が操作されてクレジットメダルの投入指示があると、賭け数が設定される。そして、規定数の賭け数が設定された後にスタートスイッチ９が操作されると、まず、当選か否かを決定する乱数抽選がメイン制御基板５２が備える抽選手段により行われ、ほぼ同時に、３個すべてのリール６Ｌ，６Ｍ，６Ｒの回転が開始する。
【００４６】
その後に、３個のストップスイッチ１０Ｌ，１０Ｍ，１０Ｒのうちの１個が操作されると、当該操作されたストップスイッチに対応したリール６Ｌ，６Ｍ，６Ｒのうちのいずれかの回転が停止する。そして、３個すべてのストップスイッチ１０Ｌ，１０Ｍ，１０Ｒに対する操作が終了すると、３個すべてのリール６Ｌ，６Ｍ，６Ｒの回転が停止する。このとき、所定の図柄が所定の位置に停止すると入賞になり、ホッパーユニット４０により遊技者に対して所定枚数のメダルが払い出されるか、または遊技者所有のメダルを消費することなく次回の遊技を実行可能なリプレイなどの所定の利益が遊技者に対して付与される。なお、メダルの払い出しに代えて、クレジットメダルとして内部に貯留されることもある。
【００４７】
また、メイン制御基板５２の抽選手段による抽選結果などの遊技に関連する情報がコマンド形式でサブ制御基板６２に送信される。そして、サブ制御基板６２では、受信されたメイン制御基板５２からのコマンドに基づいて、遊技の進行や抽選手段の抽選結果などの遊技状況に対応して予め設定された演出態様で各演出機器による演出が実行される。すなわち、液晶表示器１３に動画を表示させたり、各スピーカ１５ＵＬ，１５ＵＲ，１５ＤＬ，１５ＤＲから音楽を発生させたり、各ランプ部２２，２３を一斉にあるいは個別に点滅させたりする演出がサブ制御基板６２において実行される。
【００４８】
（スピーカ保護回路）
次に、スピーカ保護回路１００の回路構成について図５を参照して説明する。なお、図５はスピーカ保護回路の構成を示す回路ブロック図である。以下では、上部左スピーカ１５ＵＬに接続されたスピーカ保護回路１００を例に挙げて説明し、他のスピーカ１５ＵＲ，１５ＤＬ，１５ＤＲに接続されたスピーカ保護回路１００については、その構成および動作が同一であるため、その構成および動作の説明は省略する。
【００４９】
スピーカ保護回路１００（本発明の「リレー装置」に相当）は、それぞれ制御端子（ベース）への信号入力によりオンする第１および第２スイッチ素子Ｑ１，Ｑ２と、リレー１１０と、ラッチ制御回路１２０と、異常検知回路１３０とを備えている。なお、この実施形態では、ＮＰＮトランジスタにより第１および第２スイッチ素子Ｑ１，Ｑ２が構成されているが、ＰＮＰトランジスタや電界効果トランジスタ等のその他のスイッチ素子により第１および第２スイッチ素子Ｑ１，Ｑ２が構成されていてもよい。
【００５０】
リレー１１０は、リレーコイル１１１と、リレーコイル１１１の励磁によりオンする第１リレー接点１１２と、出力ラインＳＬに設けられリレーコイル１１１の励磁によりオフして出力ラインＳＬを遮断するする第２リレー接点１１３とを備えている。また、リレー１１０は復帰用のばねである復帰ばね（図示省略）を備え、リレーコイル１１１が励磁されていなければ、各リレー接点１１２，１１３それぞれが備える可動接点が復帰ばねにより付勢されることで、第１リレー接点１１２はオフ状態に維持され、第２リレー接点１１３はオン状態に維持される。なお、この実施形態におけるリレー１１０では、第１リレー接点１１２と第２リレー接点１１３とは連動して動作するように構成されている。
【００５１】
リレーコイル１１１の一端は電源に接続され、その他端はエミッタが接地された第１スイッチ素子Ｑ１のコレクタに接続されており、制御端子への信号入力により第１スイッチ素子Ｑ１がオンすることによって通電経路が閉路されてリレーコイル１１１が通電励磁される。また、リレーコイル１１１の他端にそのコレクタが接続されることによりエミッタが接地された第２スイッチ素子Ｑ２が第１スイッチ素子Ｑ１に並列に設けられており、制御端子への信号入力により第２スイッチ素子Ｑ２がオンすることによって通電経路が閉路されてリレーコイル１１１が通電励磁される。
【００５２】
また、そのカソードがリレーコイル１１１の一端に接続され、そのアノードがリレーコイル１１１の他端に接続された還流ダイオードＤ１がリレーコイル１１１に並列接続されている。還流ダイオードＤ１は、リレーコイル１１１が通電遮断されたときに発生するサージ電流を還流させることにより、サージ電流から第１および第２スイッチ素子Ｑ１，Ｑ２を保護するためのものである。
【００５３】
ラッチ制御回路１２０は、第１リレー接点１１２のオン状態が予め設定された設定時間以上継続すると第２スイッチ素子Ｑ２をオンするラッチ制御信号を第２スイッチ素子Ｑ２の制御端子に出力するものである。ラッチ制御回路１２０は、第１リレー接点１１２を介して電源に接続される所定時定数の充電回路１２１と、降伏電圧の大きさが所定電圧である定電圧ダイオードＺＤとを備えている。
【００５４】
充電回路１２１は、その一端が電源に接続された第１リレー接点１１２の他端にその一端が接続された抵抗Ｒ１と、抵抗Ｒ１の他端にその一端が接続され他端が接地されたキャパシタＣ１とにより形成される充電経路を備えている。したがって、第１リレー接点１１２がオン状態である場合にキャパシタＣ１が充電される。
【００５５】
また、充電回路１２１は、アノードがキャパシタＣ１の一端に接続されカソードが第１リレー接点１１２の他端に接続されたダイオードＤ２と、その一端がダイオードＤ２のカソードに接続され他端が接地された抵抗Ｒ２とにより形成される放電経路を備えている。したがって、第１リレー接点１１２がオフ状態である場合にキャパシタＣ１に蓄えられた電荷がダイオードＤ２および抵抗Ｒ２を介して放電されることにより、キャパシタＣ１の電圧が接地電位に維持される。
【００５６】
また、アノードが第２スイッチ素子Ｑ２の制御端子（ベース）に接続された定電圧ダイオードＺＤのカソードがキャパシタＣ１の一端に接続されている。したがって、第１リレー接点１１２のオン状態により電源に接続された充電回路１２１（キャパシタＣ１）が設定時間以上充電されて、キャパシタＣ１の充電電圧が定電圧ダイオードＺＤの降伏電圧の大きさである所定電圧以上になると定電圧ダイオードＺＤが降伏することにより、ラッチ制御信号がラッチ制御回路１２０から出力される。また、ラッチ制御信号がラッチ制御回路１２０から第２スイッチ素子Ｑ２の制御端子に出力されると、第２スイッチ素子Ｑ２がオンすることにより通電経路が閉路されてリレーコイル１１１が励磁状態にラッチされる。
【００５７】
なお、抵抗Ｒ１，Ｒ２の抵抗値の大きさと、キャパシタＣ１のキャパシタンスの大きさとを調整することにより、充電回路１２１の充電時間および放電時間を調整することができる。したがって、スピーカ保護回路１００の使用目的に応じて、適宜、抵抗Ｒ１，Ｒ２およびキャパシタＣ１の大きさを調整すればよい。また、充電回路１２１の充電時間を長くし、放電時間を短くするためには、抵抗Ｒ１≫抵抗Ｒ２、となるように設定すればよい。
【００５８】
また、キャパシタＣ１の放電時間を長くすることにより、次のような効果を奏することができる。すなわち、第１スイッチ素子Ｑ１はオフであるが、第２スイッチ素子Ｑ２がオン状態に切り換わることで、リレーコイル１１１が励磁状態にラッチされて第１および第２リレー接点１１２，１１３が反転状態に保持されているときに、スピーカ保護回路１００に振動や衝撃等が加わることにより可動接点が振動して第１リレー接点１１２が瞬間的にオフ状態に切り換わっても、放電時間が長く設定されたキャパシタＣ１の充電状態がある程度の時間維持される。したがって、ラッチ制御回路１２０からラッチ制御信号が継続して出力されるので、第２スイッチ素子Ｑ２がオンすることによるリレーコイル１１１の励磁状態を維持することができ、第１および第２リレー接点１１２，１１３の反転状態を維持することができる。なお、キャパシタＣ１の放電時間は、例えば、その充電時間と同程度の時間とすることができる。
【００５９】
異常検知回路１３０は、出力ラインＳＬに設けられ、出力ラインＳＬにアンプ６５２が接続される音処理回路６５から出力されるサウンド信号の異常を検知することにより音処理回路６５の異常を検知して、第１スイッチ素子Ｑ１をオンする異常検知信号を第１スイッチ素子Ｑ１の制御端子（ベース）に出力するものである。異常検知回路１３０は、出力ラインＳＬに接続された全波整流回路１３１と、全波整流回路１３１の出力を平滑する平滑回路１３２と、平滑回路１３２の出力電圧が所定以上の大きさである場合に異常検知信号を出力する比較回路１３３とを備えている。
【００６０】
全波整流回路１３１は、ダイオードを用いたブリッジ整流器などの一般的な整流器により構成されており、出力ラインＳＬに音処理回路６５のアンプ６５２から出力されたサウンド信号を全波整流して出力するものである。平滑回路１３２は、全波整流回路１３１の出力にその一端が接続された抵抗Ｒ３と、その一端が抵抗Ｒ３の他端に接続され他端が接地されたキャパシタＣ２とを備えている。したがって、全波整流回路１３１からの出力が大きければキャパシタＣ２がより早く充電される。すなわち、音処理回路６５のアンプ６５２から出力ラインＳＬに出力されたサウンド信号が異常に大レベルである場合には、平滑回路１３２のキャパシタＣ２が急速に充電されることによりその出力電圧が所定以上の大きさとなるので、速やかに比較回路１３３から異常検知信号が出力される。
【００６１】
そして、異常検知信号が異常検知回路１３０から第１スイッチ素子Ｑ１の制御端子（ベース）に出力されると、第１スイッチ素子Ｑ１がオンして第２リレー接点１１３がオフすることにより、出力ラインＳＬが第２リレー接点１１３により遮断される。したがって、音処理回路６５の異常により、音処理回路６５のアンプ６５２に出力ラインＳＬを介して接続された上部左スピーカ１５ＵＬが誤動作したり破損したりするのが防止される。
【００６２】
より具体的には、全波整流回路１３１からの出力が異常に大きければ、キャパシタＣ２が急速に充電されるため、平滑回路１３２からの出力電圧が速やかに所定以上の大きさとなる。これに対して、全波整流回路１３１からの出力は異常に大きいものの、その異常の程度が比較的小さいものであれば、一定の期間、キャパシタＣ２が継続して充電されることで、平滑回路１３２からの出力電圧が所定以上の大きさとなる。したがって、音処理回路６５のアンプ６５２から出力ラインＳＬに出力されたサウンド信号が異常に大レベルであり、各スピーカ１５ＵＬ，１５ＵＲ，１５ＤＬ，１５ＤＲに対する負担が大きい場合には、キャパシタＣ２が急速に充電されて異常検知回路１３０から速やかに異常検知信号が出力されることで、各スピーカ１５ＵＬ，１５ＵＲ，１５ＤＬ，１５ＤＲの破壊防止措置の速やかな初動に寄与することができる。また、音処理回路６５のアンプ６５２から出力ラインＳＬに出力されたサウンド信号の信号レベルは異常に大きいが、各スピーカ１５ＵＬ，１５ＵＲ，１５ＤＬ，１５ＤＲに対する負担が比較的小さい場合は、キャパシタＣ２は緩やかに充電されてサウンド信号の信号レベルが異常である状態が一定時間継続した後に異常検知回路１３０から異常検知信号が出力されるので、サウンド信号の異常の誤検知防止に寄与することができる。
【００６３】
なお、平滑回路１３２の抵抗Ｒ３およびキャパシタＣ２の大きさを調整することにより、キャパシタＣ２の充電時間を調整することができる。したがって、抵抗Ｒ３およびキャパシタＣ２の大きさを適宜調整することにより、音処理回路６５のアンプ６５２から出力ラインＳＬに出力されたサウンド信号が異常に大レベルである状態がある程度の時間続いた場合に平滑回路１３２の出力電圧が所定以上の大きさとなるようにすることができる。このようにすると、アンプ６５２から出力されたサウンド信号が異常に大レベルである状態が予め設定された時間続いた場合にのみ、比較回路１３３から異常検知信号が出力される。したがって、音処理回路６５に異常が生じておらず、単に瞬間的に大レベルのサウンド信号が出力ラインＳＬに出力された場合に、音処理回路６５に異常が生じているものとして誤って異常検知信号が異常検知回路１３０から出力されるのを防止することができる。
【００６４】
また、比較回路１３３の構成は、平滑回路１３２の出力電圧が所定以上の大きさとなった場合に、異常検知信号を出力することができればどのように構成されていてもよく、オペアンプやスイッチ素子を用いて比較回路１３３を構成することができる。例えば、平滑回路１３２の出力電圧がその制御端子（ベース）に入力されるように接続されたスイッチ素子を用いて比較回路１３３を構成することができる。すなわち、平滑回路１３２の出力電圧が所定以上の大きさとなった場合にスイッチ素子がオンして異常検知信号が出力されるようにすればよい。
【００６５】
（スピーカ保護回路の動作の一例）
スピーカ保護回路の動作の一例について図６を参照して説明する。図６はスピーカ保護回路の動作の一例を示すタイミングチャートである。以下では、上部左スピーカ１５ＵＬに接続されたスピーカ保護回路１００の動作を例に挙げて説明し、他のスピーカ１５ＵＲ，１５ＤＬ，１５ＤＲに接続されたスピーカ保護回路１００の動作については、その動作が同一であるため、その動作の説明は省略する。
【００６６】
図６に示すように、音処理回路６５のアンプ６５２から出力ラインＳＬに出力されたサウンド信号の信号レベルが、出力ラインＳＬに設けられた異常検知回路１３０により監視されている。そして、音処理回路６５に異常が生じ、アンプ６５２から出力されたサウンド信号の信号レベルが異常に大きくなって所定電圧を超えることにより、時刻ｔ１において異常検知回路１３０の平滑回路１３２の出力電圧が基準電圧を超えると、異常検知回路１３０（比較回路１３３）から異常検知信号が出力される。なお、異常検知回路１３０の比較回路１３３から異常検知信号が出力されるための基準電圧は、音処理回路６５のアンプ６５２から出力されるサウンド信号の信号レベルが、上部左スピーカ１５ＵＬの破損を招くおそれのあるレベルとなったときに平滑回路１３２から出力される電圧の大きさに設定されている。
【００６７】
異常検知回路１３０から異常検知信号が第１スイッチ素子Ｑ１の制御端子（ベース）に出力されると、第１スイッチ素子Ｑ１がオンして通電経路が閉路されることによりリレーコイル１１１が通電励磁される。したがって、リレーコイル１１１が励磁されることにより第２リレー接点１１３がオフして出力ラインＳＬが遮断されるので、上部左スピーカ１５ＵＬが音処理回路６５から出力ラインＳＬに出力された所定の信号レベル以上のサウンド信号により破損するのが防止される。
【００６８】
また、リレーコイル１１１が励磁されることにより第１リレー接点１１２がオンして充電回路１２０においてキャパシタＣ１の充電が開始される。そして、第１リレー接点１１２が設定時間以上オンした時刻ｔ２において、キャパシタＣ１の電圧が定電圧ダイオードＺＤにより設定された所定電圧以上の大きさとなると、ラッチ制御回路１２０からラッチ制御信号が出力される。
【００６９】
ラッチ制御回路１２０からラッチ制御信号が第２スイッチ素子Ｑ２の制御端子（ベース）に出力されると、第２スイッチ素子Ｑ２がオンして通電経路が閉路されることによりリレーコイル１１１が励磁状態にラッチされる。したがって、時刻ｔ２において、第２スイッチ素子Ｑ２のオンによりリレーコイル１１１が励磁状態にラッチされた後は、第２リレー接点１１３のオフ状態が維持されるので、出力ラインＳＬの遮断状態が維持される。
【００７０】
すなわち、音処理回路６５から出力ラインＳＬに出力されたサウンド信号の信号レベルが下がることにより、時刻ｔ３において、異常検知回路１３０の平滑回路１３２の出力電圧が基準電圧よりも小さくなって、一旦、第１スイッチ素子Ｑ１がオフしても、第２リレー接点１１３がオフすることによる出力ラインＳＬの遮断状態が維持される。したがって、図６中のＡの期間において、再度、異常検知回路１３０の平滑回路１３２の出力電圧が基準電圧よりも大きくなる程度に、音処理回路６５から出力ラインＳＬに出力されるサウンド信号の信号レベルが大きくなった場合であっても、出力ラインＳＬの遮断状態が維持されているので、確実に、上部左スピーカ１５ＵＬが破損するのを防止することができる。
【００７１】
（スピーカ保護回路の動作の他の例）
スピーカ保護回路の動作の他の例について図７を参照して説明する。図７はスピーカ保護回路の動作の他の例を示すタイミングチャートである。以下では、上記した動作例と同様に、上部左スピーカ１５ＵＬに接続されたスピーカ保護回路１００の動作を例に挙げて説明し、他のスピーカ１５ＵＲ，１５ＤＬ，１５ＤＲに接続されたスピーカ保護回路１００の動作については、その動作が同一であるため、その動作の説明は省略する。
【００７２】
この動作例が上記した動作例と異なるのは、音処理回路６５に異常が生じることにより、アンプ６５２から出力ラインＳＬに、＋側もしくは−側に振り切れた状態である程度の信号レベル以上のサウンド信号がアンプ６５２から出力される点である。図７に示すように、音処理回路６５に異常が生じることによって、アンプ６５２から出力されたサウンド信号がある程度の信号レベル以上で、＋側もしくは−側に振り切れた状態となると、図６に示す例と比較すると、異常検知回路１３０の平滑回路１３２のキャパシタＣ２が緩やかに充電される。そして、時刻ｔ１において平滑回路１３２の出力電圧が基準電圧を超えると、異常検知回路１３０から異常検知信号が出力される。なお、サウンド信号がある程度の信号レベル以上の大きさで＋側もしくは−側に振り切れた状態の場合では、上記した動作の一例と異なり、サウンド信号の信号レベルが所定電圧の範囲内であっても、異常検知回路１３０から異常検知信号が出力される。
【００７３】
異常検知回路１３０から異常検知信号が第１スイッチ素子Ｑ１の制御端子（ベース）に出力されると、第１スイッチ素子Ｑ１がオンして通電経路が閉路されることによりリレーコイル１１１が通電励磁される。したがって、リレーコイル１１１が励磁することにより第２リレー接点１１３がオフして出力ラインＳＬが遮断されるので、上部左スピーカ１５ＵＬが音処理回路６５から出力ラインＳＬに出力されたある程度の大きさの信号レベル以上のサウンド信号により破損するのが防止される。
【００７４】
また、リレーコイル１１１が励磁することにより第１リレー接点１１２がオンして充電回路１２０においてキャパシタＣ１の充電が開始される。そして、第１リレー接点１１２が設定時間以上オンした時刻ｔ２において、キャパシタＣ１の電圧が定電圧ダイオードＺＤにより設定された所定電圧以上の大きさとなると、ラッチ制御回路１２０からラッチ制御信号が出力される。
【００７５】
ラッチ制御回路１２０からラッチ制御信号が第２スイッチ素子Ｑ２の制御端子（ベース）に出力されると、第２スイッチ素子Ｑ２がオンして通電経路が閉路されることによりリレーコイル１１１が励磁状態にラッチされる。したがって、時刻ｔ２において、第２スイッチ素子Ｑ２のオンによりリレーコイル１１１が励磁状態にラッチされた後は、第２リレー接点１１３のオフ状態が維持されるので、出力ラインＳＬの遮断状態が維持される。
【００７６】
すなわち、音処理回路６５から出力ラインＳＬに出力されたサウンド信号の信号レベルが下がることにより、時刻ｔ３において、異常検知回路１３０の平滑回路１３２の出力電圧が基準電圧よりも小さくなって、一旦、第１スイッチ素子Ｑ１がオフしても、第２リレー接点１１３がオフすることによる出力ラインＳＬの遮断状態が維持される。したがって、図７中のＢの期間において、再度、異常検知回路１３０の平滑回路１３２の出力電圧が基準電圧よりも大きくなる程度に、音処理回路６５から出力ラインＳＬに出力されるサウンド信号の信号レベルが大きくなった場合であっても、出力ラインＳＬの遮断状態が維持されているので、確実に、上部左スピーカ１５ＵＬが破損するのを防止することができる。
【００７７】
以上のように、この実施形態では、制御端子（ベース）への異常検知信号の入力により第１スイッチ素子Ｑ１がオンすると、通電経路が閉路されてリレーコイル１１１が通電励磁される。したがって、リレー１１０が備える第１リレー接点１１２がオンして反転し、出力ラインＳＬに設けられた第２リレー接点１１３がオフ状態に切り換わって反転する。また、制御端子（ベース）への信号入力によりオンしてリレーコイル１１１の通電経路を閉路する第２スイッチ素子Ｑ２が第１スイッチ素子Ｑ２に並列に設けられており、第１スイッチ素子Ｑ１がオンすることによる第１リレー接点１１２のオン状態（反転状態）が予め設定された設定時間以上継続すると、第２スイッチ素子Ｑ２をオンするラッチ制御信号がラッチ制御回路１２０から第２スイッチ素子Ｑ２の制御端子に出力される。
【００７８】
そして、ラッチ制御信号がラッチ制御回路１２０から第２スイッチ素子Ｑ２の制御端子に出力されると、第２スイッチ素子Ｑ２がオンすることにより、リレーコイル１１１の通電経路が閉路される。したがって、一旦、第２スイッチ素子Ｑ２がオンすると、異常検知回路１３０からの異常検知信号の出力が中断されて、第１スイッチ素子Ｑ１がオフしても通電経路は第２スイッチ素子Ｑ２により閉路されており、リレーコイル１１１の励磁状態が維持されるので、第１および第２リレー接点１１２，１１３が反転状態に保持される。
【００７９】
また、第１リレー接点１１２の反転状態が保持されるので、ラッチ制御回路１２０からラッチ制御信号が第２スイッチ素子Ｑ２の制御端子に継続して出力される。したがって、第２スイッチ素子Ｑ２のオン状態が維持されるので、通電経路が継続的に閉路されてリレーコイル１１１が励磁状態にラッチされ、第１および第２リレー接点１１２，１１３が反転状態に保持される。
【００８０】
また、前面パネル２ｂを遊技者が叩くなどして、スピーカ保護回路１００に大きな振動や衝撃が加えられた場合に、可動接点が振動することにより第１リレー接点１１２が瞬間的にオン状態になっても、第１リレー接点１１２のオン状態が予め設定された設定時間以上継続されなければ、ラッチ制御信号がラッチ制御回路１２０から第２スイッチ素子Ｑ２の制御端子に出力されることがない。そのため、リレーコイル１１１が励磁されていないのに第１リレー接点１１２がオンした場合に、第２スイッチ素子Ｑ２が誤ってオンするのを防止することができる。したがって、リレーコイル１１１を励磁状態にラッチする機能を有するスピーカ保護回路１００の誤動作を防止することができる。
【００８１】
また、リレーコイル１１１が励磁状態にラッチされるので、各スピーカ１５ＵＬ、１５ＵＲ，１５ＤＬ，１５ＤＲが破損等するのを防止することができるのに加え、リレー１１０の各リレー接点１１２，１１３が煩雑にオンとオフとを繰り返すことにより、リレー１１０が破損するのを防止することができる。
【００８２】
また、異常検知回路１３０から異常検知信号が出力されている状態では、第１スイッチ素子Ｑ１がオンしてリレーコイル１１１が通電励磁されるので、前面パネル２ｂを遊技者が叩くなどしてスピーカ保護回路１００に多少の振動や衝撃が加えられても、リレーコイル１１１の作用により第２リレー接点１１３はオフの状態に確実に維持される。また、非常に強い振動や衝撃が加えられることにより、可動接点が振動することで瞬間的に第２リレー接点１１３がオン状態に切り換わっても、異常検知回路１３０から異常検知信号が出力されている状態では第１スイッチ素子Ｑ１がオンしてリレーコイル１１１が通電励磁されているので、遅滞なく第２リレー接点１１３をオフ状態に切り換えることができる。さらにその際に、第２リレー接点１１３がオフすると共に第１リレー接点１１２がオンするので、第１リレー接点１１２のオン状態が設定時間以上継続することにより、再び、ラッチ制御信号がラッチ制御回路１２０から出力されて第２スイッチ素子Ｑ２がオンする。このため、再び、振動が加わる前の出力ラインＳＬが遮断された状態に復帰させることができる。
【００８３】
また、第１リレー接点１１２を介して電源に接続される所定時定数の充電回路１２１がラッチ制御回路１２０に設けられている。そして、第１リレー接点１１２のオン状態が設定時間以上継続することにより、電源に接続された充電回路１２１が設定時間以上充電されて所定電圧以上になると、ラッチ制御信号がラッチ制御回路１２０から出力される。したがって、ＭＰＵ等の論理回路を用いない簡単な構成でありながら、第１リレー接点１１２のオン状態が設定時間以上継続したときにラッチ制御信号が出力されることにより、スピーカ保護回路１００が誤動作するのを防止することができる。
【００８４】
また、出力ラインＳＬにアンプ６５２が接続される音処理回路６５の異常が異常検知回路１３０により検知されると、第１スイッチ素子Ｑ１をオンする異常検知信号が異常検知回路１３０から第１スイッチ素子Ｑ１の制御端子に出力される。また、異常検知信号が異常検知回路１３０から第１スイッチ素子Ｑ１の制御端子に出力されると、第１スイッチ素子Ｑ１がオンしてリレーコイル１１１が励磁することにより、出力ラインＳＬに設けられた第２リレー接点１１３がオフして出力ラインＳＬが遮断される。したがって、音処理回路６５の異常が異常検知回路１３０により検知された場合には、遅滞なく第１スイッチ素子Ｑ１がオンして第２リレー接点１１３がオフすることにより出力ラインＳＬが遮断されるので、音処理回路６５の異常により、アンプ６５２に出力ラインＳＬを介して接続された各スピーカ１５ＵＬ，１５ＵＲ，１５ＤＬ，１５ＤＲの破損や誤動作を防止することができる。
【００８５】
より具体的には、スロットマシン１には、各スピーカ１５ＵＬ，１５ＵＲ，１５ＤＬ，１５ＤＲと、サウンド信号を各スピーカ１５ＵＬ，１５ＵＲ，１５ＤＬ，１５ＤＲに出力する音処理回路６５とを有するオーディオ手段が設けられており、音処理回路６５のアンプ６５２と各スピーカ１５ＵＬ，１５ＵＲ，１５ＤＬ，１５ＤＲとが出力ラインＳＬにより接続されている。また、出力ラインＳＬにスピーカ保護回路１００の第２リレー接点１１３が設けられ、音処理回路６５のアンプ６５２から出力されるサウンド信号の異常が出力ラインＳＬに設けられた異常検知回路１３０により検知される。
【００８６】
そして、音処理回路６５のアンプ６５２から出力ラインＳＬに出力されたサウンド信号の異常が異常検知回路１３０により検知された場合には、異常検知信号が出力されることにより遅滞なく第１スイッチ素子Ｑ１がオンしてリレーコイル１１１が励磁し、第２リレー接点１１３がオフすることにより出力ラインＳＬが遮断される。したがって、音処理回路６５の異常により出力ラインＳＬに接続された各スピーカ１５ＵＬ，１５ＵＲ，１５ＤＬ，１５ＤＲが破損や破壊するのを防止したり誤動作するのを防止することができる。
【００８７】
ところで、この実施形態のスピーカ保護回路１００が備えるリレー１１０は電磁継電器（有接点リレー）により構成されている。ここで、仮に、スピーカ保護回路１００が、電磁継電器により構成されるリレー１１０に替えて、ダイオード、トランジスタなどの半導体スイッチ素子により構成される無接点リレーを備える場合には、音処理回路６５のアンプ６５２と各スピーカ１５ＵＬ，１５ＵＲ，１５ＤＬ，１５ＤＲとの間に非線形素子（無接点リレー）が挿入されることになるので、音質への悪影響が懸念される。しかしながら、この実施形態では、スピーカ保護回路１００は電磁継電器により構成されるリレー１１０を使用しているため、音処理回路６５のアンプ６５２と各スピーカ１５ＵＬ，１５ＵＲ，１５ＤＬ，１５ＤＲとの間にスピーカ保護回路１００が挿入されることによる音質への悪影響を抑制することができる。
【００８８】
また、誤動作が防止されたスピーカ保護回路１００が前面パネル２ｂに配置されたスロットマシン１を提供することができる。また、スピーカ保護回路１００が前面パネル２ｂの裏側に配置されているので、前面パネル２ｂの開閉に伴う振動等がスピーカ保護回路１００に伝達されるおそれがあるが、この実施形態では、かかる場合であっても、上記したようにスピーカ保護回路１００が加えられた振動や衝撃等に起因して誤動作することを防止することができる。
【００８９】
なお、本発明は上記した実施形態に限定されるものではなく、その趣旨を逸脱しない限りにおいて上述したもの以外に種々の変更を行うことが可能である。例えば、スピーカ保護回路１００が本発明の「リレー装置」として構成されているが、本発明の「リレー装置」を、液晶表示器１３や各ランプ部２２，２３等のその他の演出機器の誤動作防止のために使用したり、ホッパーユニット４０やリール用のモータ等のスロットマシン１のその他の機器の誤動作防止のために使用したり、異常時の電源ラインの遮断用に使用してもよい。また、遊技機以外の装置の誤動作防止のために本発明の「リレー装置」を使用してもよい。
【００９０】
また、リレーコイル１１１の励磁により第２リレー接点１１３がオンするように構成してもよく、「リレー装置」の使用目的に応じて、適宜、第２リレー接点１１３のオンオフ状態を変更すればよい。また、リレー１１０が外部ラインに接続されるリレー接点をさらに備えていてもよい。
【００９１】
また、上記した実施形態では、本発明の遊技機としてスロットマシン１を例に挙げて説明したが、パチンコ機や、スロットマシンとパチンコ機とを組み合わせた遊技機（所謂、パロット）に本発明を適用してもよく、このような遊技機に本発明を適用すれば、遊技媒体としてのパチンコ球を採用すればよい。また、本発明の遊技機として、コンピュータプログラムが実行されることによるビデオゲームを採用してもよい。また、本発明の表示手段を、液晶ディスプレイやＣＲＴなどの画像表示装置を用いて、この画像表示装置に複数の図柄を順次表示させることにより構成してもよい。また、可変表示列の数は２列以上であればよく、遊技の態様に応じて適宜最適な数の可変表示列を構成すればよい。
【００９２】
また、上記した実施形態では、スピーカ保護回路１００は液晶制御基板用基板ケース２６を介して前面パネル２ｂの裏面に配置されているが、前面パネル２ｂにスピーカ保護回路１００が直接配置されていてもよい。また、スロットマシン１の筐体２ａや、パチンコ機が備える支持枠体を本発明の「フレーム」として構成し、リレー装置が配置されるようにしてもよい。
【００９３】
そして、リレーコイルが励磁されるとリレー接点が反転状態に保持されるリレー装置およびこれを備える遊技機に本発明を広く適用することができる。
【符号の説明】
【００９４】
１…スロットマシン（遊技機）、２ｂ…前面パネル（フレーム）、１５ＵＬ…上部左スピーカ（オーディオ手段、後段機器）、１５ＵＲ…上部右スピーカ（オーディオ手段、後段機器）、１５ＤＬ…下部左スピーカ（オーディオ手段、後段機器）、１５ＤＲ…下部右スピーカ（オーディオ手段、後段機器）、６５…音処理回路（オーディオ手段、信号処理部、対象機器）、６５２…アンプ（出力部）、１００…スピーカ保護回路（リレー装置）、１１０…リレー、１１１…リレーコイル、１１２…第１リレー接点、１１３…第２リレー接点、１２０…ラッチ制御回路、１２１…充電回路、１３０…異常検知回路、Ｑ１…第１スイッチ素子、Ｑ２…第２スイッチ素子、ＳＬ…出力ライン（外部ライン）
【要約】
【課題】リレーコイルを励磁状態にラッチする機能を有するリレー装置の誤動作を防止できる技術を提供する。
【解決手段】前面パネルが遊技者に叩かれるなどして、スピーカ保護回路１００に大きな振動や衝撃が加わった場合に、可動接点が振動することにより第１リレー接点１１２が瞬間的にオン状態になっても、第１リレー接点１１２のオン状態が予め設定された設定時間以上継続されなければ、ラッチ制御信号がラッチ制御回路１２０から第２スイッチ素子Ｑ２の制御端子に出力されることがない。そのため、リレーコイル１１１が励磁されていないのに第１リレー接点１１２がオンした場合に、第２スイッチ素子Ｑ２が誤ってオンするのを防止することができる。したがって、リレーコイル１１１を励磁状態にラッチする機能を有するスピーカ保護回路１００の誤動作を防止することができる。
【選択図】図５【図１】
0005582512.tif 000002
【図２】
0005582512.tif 000003
【図３】
0005582512.tif 000004
【図４】
0005582512.tif 000005
【図５】
0005582512.tif 000006
【図６】
0005582512.tif 000007
【図７】
0005582512.tif 000008